(57)【要約】【課題】光ディスクに高い記録品質で情報を記録することのできる光ディスク記録再生装置及び光ディスク記録再生方法を提供する。【解決手段】光ディスク３に対して情報の記録及び再生を行う光ディスク記録再生装置１において、光ディスク１から識別情報を取得し、光ディスク３にデータを記録しているときに、記録されたデータを再生して該データの記録品質を示すエラーレート及びジッタを検出するエラーレート検出部２５及びジッタ検出部２６と、エラーレート及びジッタに基づいて、光ディスク３に記録されたデータの記録品質を表示する表示部３０とを備える。【選択図】図１
2010020834.tif 000002
【特許請求の範囲】
【請求項１】
光ディスクに対して情報の記録及び再生を行う光ディスク記録再生装置において、
前記光ディスクから識別情報を取得する取得部と、
前記光ディスクに前記情報を記録しているときに、記録された前記情報を再生して該情報の記録品質を示す記録品質情報を検出する検出部と、
前記記録品質情報に基づいて、前記光ディスクに記録された前記情報の記録品質を表示する表示部とを備える
ことを特徴とする光ディスク記録再生装置。
【請求項２】
前記記録品質情報に基づいて、複数のランクの中から前記光ディスクに記録された前記情報の記録品質のランクを決定する決定部を備え、
前記表示部は、決定された前記ランクを表示する
ことを特徴とする請求項１に記載の光ディスク記録再生装置。
【請求項３】
前記識別情報と決定された前記ランクとを記憶する記憶部を備える
ことを特徴とする請求項２に記載の光ディスク記録再生装置。
【請求項４】
前記検出部は、記録された前記情報を所定間隔ごとに所定量再生して前記記録品質情報を検出する
ことを特徴とする請求項１に記載の光ディスク記録再生装置。
【請求項５】
前記所定間隔及び前記所定量のうち、少なくとも一方を変更する変更部を備える
ことを特徴とする請求項４に記載の光ディスク記録再生装置。
【請求項６】
光ディスクに対して情報の記録及び再生を行う光ディスク記録再生方法において、
前記光ディスクから識別情報を取得する第１ステップと、
前記光ディスクに前記情報を記録しているときに、記録された前記情報を再生して該情報の記録品質を示す記録品質情報を検出する第２ステップと、
前記記録品質情報に基づいて、前記光ディスクに記録された前記情報の記録品質を表示する第３ステップとを備える
ことを特徴とする光ディスク記録再生方法。
【請求項７】
前記第３ステップは、前記記録品質情報に基づいて、複数のランクの中から前記光ディスクに記録された前記情報の記録品質のランクを決定するステップと、決定された前記ランクを表示するステップとを含む
ことを特徴とする請求項６に記載の光ディスク記録再生方法。
【請求項８】
前記第３ステップは、前記識別情報と決定された前記ランクとを記憶するステップを含む
ことを特徴とする請求項７に記載の光ディスク記録再生方法。
【請求項９】
前記第２ステップは、記録された前記情報を所定間隔ごとに所定量再生して前記記録品質情報を検出する検出ステップを含む
ことを特徴とする請求項６に記載の光ディスク記録再生方法。
【請求項１０】
前記第２ステップは、前記検出ステップの前に、前記所定間隔及び前記所定量のうち、少なくとも一方を変更するステップを含む
ことを特徴とする請求項９に記載の光ディスク記録再生方法。
【発明の詳細な説明】
【技術分野】
【０００１】
本発明は、光ディスクに対して情報の記録及び再生を行う光ディスク記録再生装置及び光ディスク記録再生方法に関するものである。
【背景技術】
【０００２】
従来、この種の光ディスク記録再生装置として、エラーレートが単位時間あたり所定の閾値以上の値となったときに、情報が記録された光ディスクの劣化を判定し、バックアップを指示する信号を発生するようにしたものが知られている（例えば、特許文献１参照）。
【特許文献１】特開２００６−１６４３３２号公報
【発明の開示】
【発明が解決しようとする課題】
【０００３】
しかしながら、従来の光ディスク記録再生装置では、記録中に記録を中止するほどの記録エラーが発生したか否かを知ることはできるが、光ディスクに記録された情報の記録品質を知ることができなかった。そのため、例えば高品質で記録したい情報やライトワンスコンテンツなどの再度の記録ができない情報を、低い記録品質で記録してしまうなどの問題点があった。
【０００４】
本発明は前述の問題点に鑑みてなされたものであり、その目的とするところは、光ディスクに高い記録品質で情報を記録することのできる光ディスク記録再生装置及び光ディスク記録再生方法を提供することにある。
【課題を解決するための手段】
【０００５】
本発明は前述の目的を達成するために、光ディスクに対して情報の記録及び再生を行う光ディスク記録再生装置において、前記光ディスクから識別情報を取得する取得部と、前記光ディスクに前記情報を記録しているときに、記録された前記情報を再生して該情報の記録品質を示す記録品質情報を検出する検出部と、前記記録品質情報に基づいて、前記光ディスクに記録された前記情報の記録品質を表示する表示部とを備える光ディスク記録再生装置を提案する。
【０００６】
この光情報再生装置によれば、光ディスクに情報を記録しているときに、記録された情報を再生して当該情報の記録品質を示す記録品質情報が検出され、記録品質情報に基づいて、光ディスクに記録された情報の記録品質が表示されるので、光ディスクに情報を記録中に、当該情報の記録品質を知ることができる。
【０００７】
また、本発明は前述の目的を達成するために、光ディスクに対して情報の記録及び再生を行う光ディスク記録再生方法において、前記光ディスクから識別情報を取得する第１ステップと、前記光ディスクに前記情報を記録しているときに、記録された前記情報を再生して該情報の記録品質を示す記録品質情報を検出する第２ステップと、前記記録品質情報に基づいて、前記光ディスクに記録された前記情報の記録品質を表示する第３ステップとを備える光ディスク記録再生方法を提案する。
【０００８】
この光ディスク記録再生方法によれば、光ディスクに情報を記録しているときに、記録された情報を再生して当該情報の記録品質を示す記録品質情報が検出され、記録品質情報に基づいて、光ディスクに記録された情報の記録品質が表示されるので、光ディスクに情報を記録中に、当該情報の記録品質を知ることができる。
【発明の効果】
【０００９】
本発明によれば、光ディスクに情報を記録中に、当該情報の記録品質を知ることができる。これにより、例えば高品質で記録したい情報やライトワンスコンテンツなどの再度の記録ができない情報を、一の光ディスクに低い記録品質で記録しているときに記録を中止することができ、当該情報を他の光ディスクに高い記録品質で記録することができる。
【発明を実施するための最良の形態】
【００１０】
以下、図面を参照しながら本発明の一実施の形態を詳述する。
【００１１】
まず、図１及び図２を用いて本発明に係る光ディスク記録再生装置の構成を説明する。図１は、本発明に係る光ディスク記録再生装置の概略構成を説明するブロック図である。光ディスク記録再生装置１は、多層光ディスクに対応しており、ホストコンピュータ２からの要求に応じて、光ディスク３にデータを記録し又は光ディスク３に記録されたデータを再生するように構成されている。
【００１２】
マイクロコンピュータ部１０は、ＣＰＵ（Central Processing Unit）、ホストコンピュータ２との通信を可能にする通信インターフェース１０Ａ、及び各種制御プログラムが格納されたメモリ１０Ｂなどを含んで構成されている。マイクロコンピュータ部１０は、例えばＡＴＡＰＩ（ATA Packet Interface）などから構成される通信インターフェース１０Ａを介してホストコンピュータ２から受信するコマンドや、ディジタル・シグナル・プロセッサ（ＤＳＰ：Digital Signal Processor）１１から入力される各種情報に基づいて、必要な制御処理や演算処理を実行する。
【００１３】
例えば、ホストコンピュータ２から記録コマンドが送信された場合、マイクロコンピュータ部１０は、ディジタル・シグナル・プロセッサ（ＤＳＰ）１１内のモータ制御部１２及びモータ駆動回路１３を介してスピンドルモータ１４を駆動することにより、所定状態に装填された光ディスク３をその記録方式（例えばＣＬＶ（Constant Linear Velocity）方式、ＣＡＶ（Constant Angular Velocity）など）に応じた回転状態で回転させる。
【００１４】
また、マイクロコンピュータ部１０は、必要に応じてディジタル・シグナル・プロセッサ（ＤＳＰ）１１内のモータ制御部１２及びモータ駆動回路１３を介して移動・案内機構部１５のスライドモータ１６を駆動することにより、光ピックアップ１７を光ディスク３の径方向に移動させる。
【００１５】
ディジタル・シグナル・プロセッサ（ＤＳＰ）１１は、ホストコンピュータ２からマイクロコンピュータ部１０を介して与えられる記録対象のデータに対して記録信号生成部１８において変調処理などの所定の信号処理を施し、信号処理によって得られる記録信号を光ピックアップ１７内のレーザダイオード駆動回路（ＬＤＤ）１９に出力する。レーザダイオード駆動回路（ＬＤＤ）１９は、入力される記録信号に基づいてストラテジ制御したパルス状の駆動信号をレーザダイオード（ＬＤ）２０に印加することにより、当該レーザダイオード（ＬＤ）２０を点滅駆動する。
【００１６】
また、このとき、対物レンズ２１を保持する２軸アクチュエータ（図示せず）は、マイクロコンピュータ部１０の制御のもとに、対物レンズ２１を光ディスク３に対して所定位置に移動させる。
【００１７】
この結果、記録対象のデータに応じたパターンで点滅するレーザ光がレーザダイオード（ＬＤ）２０から発射され、これが対物レンズ２１を介して光ディスク３の所望の記録層上に集光される。これにより、記録対象のデータが光ディスク３に記録される。
【００１８】
このレーザ光の多層光ディスク３における反射光は、対物レンズ２１を介して光ピックアップ１７内の受光部２２に集光される。受光部２２は、例えば４分割フォトディテクタなどから構成されており、入射する反射光を光電変換することにより得られたアナログ波形のＲＦ（Radio Frequency）信号をアナログ・フロント・エンド（ＡＦＥ：Analog Front End）２３に出力する。
【００１９】
アナログ・フロント・エンド（ＡＦＥ）２３は、入力されるＲＦ信号に対して増幅や波形整形処理などの所定のアナログ処理を施し、アナログ処理によって得られるディジタル波形のＲＦ信号をディジタル・シグナル・プロセッサ（ＤＳＰ）１１の再生信号処理部２４に出力する。
【００２０】
再生信号処理部２４は、入力されるＲＦ信号に対して復調処理などの所定の信号処理を施し、信号処理によって得られる再生信号に基づいて、フォーカスエラー信号及びトラッキングエラー信号などの各種サーボ信号を生成する。生成されるフォーカスエラー信号及びトラッキングエラー信号に基づいて、光ピックアップ１７内の２軸アクチュエータ（図示せず）が制御され、これによりフォーカス制御やトラッキング制御が行なわれる。
【００２１】
一方、マイクロコンピュータ部１０は、ホストコンピュータ２から再生コマンドが送信された場合、前述の記録コマンドが送信された場合と同様に、光ディスク３をその記録方式に応じた回転状態に回転させる。またマイクロコンピュータ部１０は、ディジタル・シグナル・プロセッサ（ＤＳＰ）１１の記録信号生成部１８を制御することにより、所定の駆動信号を光ピックアップ１７内のレーザ駆動回路（ＬＤＤ）１９に出力させる。
【００２２】
レーザ駆動回路（ＬＤＤ）１９は、入力される駆動信号に基づいて、レーザダイオード（ＬＤ）２０を所定電圧で点灯駆動する。この結果、レーザダイオード２０（ＬＤ）から所定パワーのレーザ光が発射され、当該レーザ光が対物レンズ２１を介して光ディスク３の所望の記録層上に集光される。
【００２３】
このレーザ光の光ディスク３における反射光は、光ピックアップ１７内の受光部２２により光電変換され、光電変換によって得られるアナログ波形のＲＦ信号が、前述の記録コマンドが送信された場合と同様に、アナログ・フロント・エンド（ＡＦＥ）２３においてディジタル波形のＲＦ信号に変換され、ディジタル・シグナル・プロセッサ（ＤＳＰ）１１の再生信号処理部２４に出力される。
【００２４】
再生信号処理部２４は、入力されるＲＦ信号に対して復調処理などの再生信号処理を施し、再生信号処理によって得られる再生信号をマイクロコンピュータ部１０に出力する。マイクロコンピュータ部１０は、入力される再生信号を通信インターフェース１０Ａを介してホストコンピュータ２に送信する。
【００２５】
また、再生信号処理部２４は、前述の記録コマンドが送信された場合と同様に、再生信号処理によって得られる再生信号に基づいて、フォーカスエラー信号及びトラッキングエラー信号などのサーボ信号を生成する。生成されるフォーカスエラー信号及びトラッキングエラー信号に基づいて、データ記録時と同様に、フォーカス制御及びトラッキング制御などが行なわれる。
【００２６】
本実施形態では、光ディスク３にデータを記録する際に、マイクロコンピュータ部１０は、ディジタル・シグナル・プロセッサ（ＤＳＰ）１１や、当該ディジタル・シグナル・プロセッサ（ＤＳＰ）１１を介して移動・案内機構部１５のスライドモータ１６及び光ピックアップ１７のレーザダイオード駆動回路（ＬＤＤ）１９を制御することにより、光ディスク３の製造時に記録されるメディアＩＤを読み取り、読み取ったメディアＩＤを通信インターフェース１０Ａを介してホストコンピュータ２に送信する。
【００２７】
また、光ディスク３にデータを記録しているときに、マイクロコンピュータ部１０は、所定間隔ごとに記録を停止させ、記録先頭部の所定量のデータを再生させる。そして、このとき得られた再生信号がディジタル・シグナル・プロセッサ（ＤＳＰ）１１の再生信号処理部２４からエラーレート検出部２５及びジッタ検出部２６に出力される。なお、所定間隔は時間、物理的距離、データ量などを問わず、間隔が一定であればよい。また、本実施形態では、記録先頭部のデータを再生させるようにしたが、これに限定されず、記録終端部のデータであってもよい。
【００２８】
エラーレート検出部２５は、例えばブロックエラー発生率（ＢＬＥＲ）などの方法により、入力される再生信号のエラーレートを測定し、測定結果をマイクロコンピュータ部１０に出力する。また、ジッタ検出部２６は、例えばＴＩＡ（Time Interval Analyzer）機能により、入力される再生信号のジッタの値を測定し、測定結果をマイクロコンピュータ部１０に出力する。マイクロコンピュータ部１０は、入力されるエラーレート及びジッタを通信インターフェース１０Ａを介してホストコンピュータ２に送信する。このように、光ディスク３に記録されたデータを、所定間隔ごとに所定量再生してエラーレート及びジッタを検出するので、記録された全てのデータを再生する場合と比較して再生に掛かる時間を短縮することができるとともに、サンプルとなる記録されたデータを等間隔に抽出することができる。
【００２９】
本実施形態では、光ディスク３に記録されたデータの記録品質を示す情報として、エラーレート及びジッタを検出するようにしたが、これに限定されず、何れか一方のみを検出するようにしてもよいし、他の情報を検出するようにしてもよい。
【００３０】
ホストコンピュータ２は、ＣＰＵ（Central Processing Unit）、マイクロコンピュータ部との通信を可能にする通信インターフェース２Ａ、及び各種制御プログラムが格納されたメモリ２Ｂなどを含んで構成されている。ホストコンピュータ２は、通信インターフェース２Ａを介して各種コマンドをマイクロコンピュータ部１０に送信するとともに、マイクロコンピュータ部１０からメディアＩＤ、エラーレート、及びジッタを受信する。また、ホストコンピュータ２は、エラーレート及びジッタに基づいて、複数のランクの中から光ディスク３に記録されたデータの記録品質のランクを決定し、メディアＩＤ及び決定したランクをホストコンピュータ２に接続される表示部３０に表示するとともに、メモリ２Ｂに記憶される記録品質テーブル２７に格納する。
【００３１】
表示部３０は、例えばＬＣＤ（Liquid Crystal Display）などで構成されるモニタであり、光ディスク３に記録されたデータの記録品質としてホストコンピュータから入力されたメディアＩＤ及びランクを表示する。なお、光ディスク記録再生装置１は、表示部３０を備え、表示部３０にメディアＩＤ及びランクを表示するようにしたが、これに限定されず、光ディスク記録再生装置１に接続される外部のディスプレイなどにメディアＩＤ及びランクを表示するようにしてもよい。
【００３２】
図２は、記録品質テーブルの一例を説明するデータ構成図である。図２に示すように、記録品質テーブル２７は、光ディスク記録再生装置１が光ディスク３に記録したデータの記録品質を保持するためのものであり、１回の記録ごとに１レコード（行）が追加される。記録品質テーブル２７は、メディアＩＤ欄２７Ａ、ランク欄２７Ｂ、及び日時欄２７Ｃから構成されている。
【００３３】
メディアＩＤ欄２７Ａには、マイクロコンピュータ部１０から受信するメディアＩＤが格納され、例えば光ディスクの製造会社、ＤＶＤ−Ｒなどの光ディスクの種類、最大記録速度、ＯＥＭ（Original Equipment Manufacturer）などを一意に識別可能な識別子が格納される。ランク欄２７Ｂには、複数のランク、例えば「Ａ」〜「Ｅ」の５段階のランクの中から、エラーレート及びジッタと所定の閾値とに基づいて、光ディスク３に記録されたデータの記録品質を示すランクがホストコンピュータ２によって決定され、決定されたランクが格納される。日時欄２７Ｃには、ランク欄２７Ｂに格納されるランクが決定された日時が格納される。このように、メディアＩＤと決定されたランクとが記憶されるので、過去において光ディスク３に記録したデータの記録品質を参照することができる。
【００３４】
本実施形態では、エラーレート及びジッタに基づいて決定されたランクを記憶するようにしたが、これに限定されず、例えばエラーレート及びジッタ自体を記憶しておき、必要に応じて記憶されたエラーレート及びジッタからランクを決定するようにしてもよい。
【００３５】
次に、図３乃至図５を用いて本発明に係る光ディスク記録再生装置の記録処理を説明する。図３は、図１に示した光ディスク記録再生装置の記録処理を説明するフローチャートである。なお、以下において特に記載のない限り、所定間隔ごとに再生させる時間として再生時間が、データを再生する際の所定量として再生データ量が、あらかじめ設定されているものとして説明する。
【００３６】
図３に示すように、光ディスク記録再生装置１に装填されている光ディスク３にデータを記録するときに、ホストコンピュータ２は、記録コマンドを生成し（Ｓ１０１）、生成した記録コマンドを記録対象のデータとともにマイクロコンピュータ部１０に送信する。記録コマンドを受信したマイクロコンピュータ部１０は、装填されている光ディスク３の内周側の管理領域に記録されたメディアＩＤを取得し（Ｓ１０２）、取得したメディアＩＤをホストコンピュータ２に送信する。
【００３７】
次に、マイクロコンピュータ部１０は、ホストコンピュータ２から受信した記録対象のデータを所定単位ごと、例えばブロックごとに光ディスク３に記録する（Ｓ１０３）。次いで、マイクロコンピュータ部１０は、ホストコンピュータ２から送信される記録終了コマンドの受信有無に基づいて、光ディスク３に対するデータの記録を続行するか否かを判定する（Ｓ１０４）。本実施形態では、マイクロコンピュータ部１０は、記録終了コマンドの受信有無に基づいて記録を続行するか否かを判定するようにしたが、これに限定されず、例えば記録コマンドとともに記録対象のデータのデータ量を受信しておき、受信データ量が当該データ量に達したか否かに基づいて、記録を続行するか否かを判定するようにしてもよい。
【００３８】
Ｓ１０４の判定の結果、光ディスク３に対するデータの記録を続行する場合に、マイクロコンピュータ部１０は、自己のタイマ機能によって計時する経過時間に基づいて、設定された再生時間に達したか否かを判定する（Ｓ１０５）。Ｓ１０５の判定の結果、設定された再生時間に達した場合に、マイクロコンピュータ部１０は、光ディスク３に記録されたデータを再生する（Ｓ１０６）。なお、再生するデータは、設定された再生時間及び再生データ量から算出された再生アドレス及び再生ブロック数によって決定される。本実施形態では、再生間及び再生データ量があらかじめ設定されるようにしたが、これに限定されず、例えば光ディスクの種類ごとに、再生時間及び再生データ量のうち少なくとも一方を変更するようにしてもよい。これにより、光ディスク３に記録されたデータの記録品質を、光ディスク３の特性にあわせて検出することができる。
【００３９】
再生されたデータの再生信号がディジタル・シグナル・プロセッサ（ＤＳＰ）１１の再生信号処理部２４からエラーレート取得部２５及びジッタ取得部２６に出力されると、エラーレート検出部２５は再生信号からエラーレートを検出するとともに、ジッタ検出部２６は再生信号からジッタを検出し（Ｓ１０７）、マイクロコンピュータ部１０は、検出されたエラーレート及びジッタをホストコンピュータ２に送信する。
【００４０】
ホストコンピュータ２は、マイクロコンピュータ部１０から受信したエラーレート及びジッタに基づいて、光ディスク３に記録されたデータの記録品質のランクを決定する（Ｓ１０８）。なお、ランクは、エラーレート及びジッタの一方のみから決定してもよいし、一方を主、他方を従としてを決定してもよい。また、例えば光ディスク３の種類よって、ランクの決定方法を変更するようにしてもよい。
【００４１】
次いで、ホストコンピュータ２は、Ｓ１０２の処理で取得したメディアＩＤとＳ１０８の処理で決定したランクとを、表示部３０に表示する（Ｓ１０９）。このように、光ディスク３にデータを記録しているときに、記録されたデータを再生して当該データの記録品質を示すエラーレート及びジッタが検出され、エラーレート及びジッタに基づいて決定された、光ディスク３に記録されたデータの記録品質のランクが表示されるので、光ディスク３にデータを記録中に、当該データの記録品質を知ることができる。
【００４２】
図４は、図１に示した表示部に表示する画面の一例を説明するイメージ図である。図４に示すように、記録中画面Ｇ０１には、例えば光ディスク３のメディアＩＤに対応する製造会社、種類、最大記録速度などの光ディスク情報Ｇ０１Ａ、光ディスク３に対するデータの記録の進捗度合を示すプログレスバーＧ０１Ｃ、及び該当区間における記録品質を示すランクＧ０１Ｂが表示される。また、記録中画面Ｇ０１にはキャンセルボタンＧ０１Ｄが表示され、利用者はキャンセルボタンＧ０１Ｃを操作することにより光ディスク３に対するデータの記録を中止することができる。このように、エラーレート及びジッタに基づいて、光ディスク３に記録されたデータの記録品質のランクが決定され、当該ランクが表示されるので、光ディスク３に記録されたデータの記録品質を相対的に表すことができる。
【００４３】
本実施形態では、光ディスク３に記録されたデータの記録品質としてランクを表示するようにしたが、これに限定されず、例えばエラーレート及び／又はジッタを表示するようにしてもよい。
【００４４】
Ｓ１０９の処理後、マイクロコンピュータ部１０はＳ１０３の処理に戻る。また、Ｓ１０５の判定の結果、設定された再生時間に達してない場合にも、マイクロコンピュータ部１０はＳ１０３の処理に戻る。
【００４５】
Ｓ１０４の判定の結果、光ディスク３に対するデータの記録を終了する場合に、マイクロコンピュータ部１０は、ファイナライズなどの記録終了処理を行い（Ｓ１１０）、光ディスク３に対するデータの記録を終了する。これとともに、ホストコンピュータ２は、Ｓ１０８の処理で決定した１つ又は複数のランクに基づいて、光ディスク３に記録されたデータの記録品質の総合ランクを決定する（Ｓ１１１）。なお、総合ランクは、当該光ディスク３において再生時間ごとに決定した各ランクの平均から決定するようにしてもよいし、例えば光ディスク３の種類や記録速度によって、光ディスクの内周部のランクを重視したり、外周部のランクを重視したりするなど、各ランクに対して重み付けをして決定してもよい。
【００４６】
次いで、ホストコンピュータ２は、Ｓ１０２の処理で取得したメディアＩＤとＳ１１１の処理で決定した総合ランクとを表示部３０に表示する（Ｓ１１２）。
【００４７】
図５は、図１に示した表示部に表示する画面の一例を説明するイメージ図である。図５に示すように、記録終了画面Ｇ０２には、前述の光ディスク情報Ｇ０１Ａ、プログレスバーＧ０１Ｃ、及びランクＧ０１Ｂと同様の、光ディスク情報Ｇ０２Ａ、プログレスバーＧ０２Ｃ、及びランクＧ０２Ｂが表示されるとともに、総合ランクＧ０２Ｄが表示される。なお、記録品質テーブル２７に同一メディアＩＤのレコード（行）が存在する場合には、当該レコード（行）におけるランク欄２７Ｂに格納されたランクと、Ｓ１１１の処理で決定した総合ランクとに基づいて、過去の総合ランクの履歴を反映した累計ランクを表示するようにしてもよい。
【００４８】
次いで、ホストコンピュータ２は、Ｓ１０２の処理で取得したメディアＩＤ、Ｓ１１１の処理で決定した総合ランク、及び現在の日時を、メモリ２Ｂに記憶された記録品質テーブル２７の、メディアＩＤ欄２７Ａ、ランク欄２７Ｂ、及び日時欄２７Ｃにそれぞれ格納し（Ｓ１１３）、マイクロコンピュータ部１０及びホストコンピュータ２は、記録処理を終了する。本実施形態では、Ｓ１１１の処理で決定した総合ランクを記憶するようにしたが、これに限定されず、Ｓ１０８の処理で決定した各ランクを記録するようにしてもよいし、Ｓ１０８の処理で決定した各ランク及びＳ１１１の処理で決定した総合ランクのいずれも記憶するようにしてもよい。
【００４９】
本実施形態では、ホストコンピュータ２がエラーレート及びジッタに基づいてランクを決定し、当該ランクを表示部３０に表示し、当該ランクをメモリ２Ｂに記憶するようにしたが、これに限定されず、ランクの決定、表示部３０への表示、及びランクの記憶のうち、一部又は全部をマイクロコンピュータ部１０が行うように構成してもよい。
【００５０】
このように、本発明によれば、光ディスク３にデータを記録しているときに、記録されたデータを再生して当該データの記録品質を示すエラーレート及びジッタが検出され、エラーレート及びジッタに基づいて決定された、光ディスク３に記録されたデータの記録品質のランクが表示されるので、光ディスク３にデータを記録中に、当該データの記録品質を知ることができる。これにより、例えば高品質で記録したい情報やライトワンスコンテンツなどの再度の記録ができない情報を、一の光ディスクに低い記録品質で記録しているときに記録を中止することができ、当該情報を他の光ディスクに高い記録品質で記録することができる。
【００５１】
また、エラーレート及びジッタに基づいて、光ディスク３に記録されたデータの記録品質のランクが決定され、当該ランクが表示されるので、光ディスク３に記録されたデータの記録品質を相対的に表すことができる。これにより、光ディスク３に記録されたデータの記録品質を利用者に分かり易くすることができる。
【００５２】
また、メディアＩＤと決定されたランクとが記憶されるので、過去において光ディスク３に記録したデータの記録品質を参照することができる。これにより、光ディスク３にデータを記録する前に、同一の記録メディアＩＤを有する光ディスク３に記録したデータのランクを知ることができ、光ディスク記録再生装置１と相性の良い光ディスクを選択することができる。
【００５３】
また、光ディスク３に記録されたデータを、所定間隔ごとに所定量再生してエラーレート及びジッタを検出するので、記録された全てのデータを再生する場合と比較して再生に掛かる時間を短縮することができるとともに、サンプルとなる記録されたデータを等間隔に抽出することができる。これにより、光ディスク３に記録されたデータの記録品質を示すエラーレート及びジッタを短時間で適切に検出することができる。
【００５４】
また、再生時間及び再生データ量のうち少なくとも一方が変更されるので、光ディスク３に記録されたデータの記録品質を、光ディスク３の特性にあわせて検出することができる。
【００５５】
なお、本発明の構成は、前述の実施形態にのみ限定されるものではなく、本発明の要旨を逸脱しない範囲内において種々変更を加えてもよい。
【図面の簡単な説明】
【００５６】
【図１】本発明に係る光ディスク記録再生装置の概略構成を説明するブロック図である。
【図２】記録品質テーブルの一例を説明するデータ構成図である。
【図３】図１に示した光ディスク記録再生装置の記録処理を説明するフローチャートである。
【図４】図１に示した表示部に表示する画面の一例を説明するイメージ図である。
【図５】図１に示した表示部に表示する画面の一例を説明するイメージ図である。
【符号の説明】
【００５７】
１…光ディスク記録再生装置、２…ホストコンピュータ、２ａ…メモリ、３…光ディスク、１０…マイクロコンピュータ部、２５…エラーレート検出部、２６…ジッタ検出部、２７…記録品質テーブル、３０…表示部。
【図１】
2010020834.tif 000003
【図２】
2010020834.tif 000004
【図３】
2010020834.tif 000005
【図４】
2010020834.tif 000006
【図５】
2010020834.tif 000007